(57)【特許請求の範囲】
【請求項１】
少なくとも１つのプロセッサを備えたインテリジェント端末を用いた服装コーディネート推薦方法であって、
前記プロセッサが、前記インテリジェント端末のアルバムにアクセスし、色及びスタイル情報に基づいて前記アルバムに出現する頻度が最も高い服装を検索し選択すること、
前記プロセッサが、選択した服装がコーディネート推薦する必要がある服装であるかどうかを判断すること、
選択した服装についてコーディネート推薦する必要があると判断した場合、前記プロセッサが、選択した服装の服装情報に基づいて服装コーディネートデータベースを検索すること、
選択した服装についてコーディネート推薦する必要があると判断しなかった場合、前記プロセッサが、選択した服装を排除してから、色及びスタイル情報に基づいて前記アルバムに出現する頻度が最も高い服装を再び検索し選択すること、
を含む、服装コーディネート推薦方法。
【請求項２】
前記プロセッサは、選択した服装が単品の場合、選択した服装についてコーディネート推薦する必要があると判断する、
請求項１に記載の服装コーディネート推薦方法。
【請求項３】
前記プロセッサは、選択した服装がセットの場合、当該セットを直接推薦するコーディネート態様とする、
請求項２に記載の服装コーディネート推薦方法。
【請求項４】
前記プロセッサが、前記インテリジェント端末のカメラを呼び出して写真を撮り、且つ撮影した写真をクローゼットデータベースに記憶すること、
前記プロセッサが、前記クローゼットデータベースからコーディネート推薦する必要がある服装を選択すること、
前記プロセッサが、選択したコーディネート推薦する必要がある服装の前記服装情報に基づいて前記服装コーディネートデータベースを検索して推薦するコーディネート態様を得ること、
前記プロセッサが、前記インテリジェント端末に推薦するコーディネート態様を表示することを含む、請求項１に記載の服装コーディネート推薦方法。
【請求項５】
前記プロセッサが、前記服装情報に基づいて前記服装コーディネートデータベースを検索することは、
前記プロセッサが、選択したコーディネート推薦する必要がある前記服装情報及び日時情報に基づいて前記服装コーディネートデータベースを検索し、現時点での日時情報及び前記服装情報とマッチングするコーディネート態様を得ることを含む、請求項１〜４のいずれか１項に記載の服装コーディネート推薦方法。
【請求項６】
前記プロセッサが、前記服装情報に基づいて前記服装コーディネートデータベースを検索することは、前記プロセッサが、選択したコーディネート推薦する必要がある前記服装情報、日時情報及び地理的情報に基づいて前記服装コーディネートデータベースを検索し、現時点で日時情報、前記服装情報及び地理的情報とマッチングするコーディネート態様を得ることを更に含む、請求項１〜４のいずれか１項に記載の服装コーディネート推薦方法。
【請求項７】
前記服装コーディネートデータベースを検索する前に、前記プロセッサが、応用シナリオを選択することを更に含む、請求項１〜６のいずれか１項に記載の服装コーディネート推薦方法。
【請求項８】
前記応用シナリオは屋外、ジム、会社、家及びパーティーを含む、請求項７に記載の服装コーディネート推薦方法。
【請求項９】
少なくとも１つの前記プロセッサと、
前記プロセッサに通信接続されるメモリとを含むインテリジェント端末であって、
前記メモリに前記プロセッサにより実行可能な命令が記憶され、前記命令は、前記プロセッサにより実行されると、前記プロセッサに請求項１〜７のいずれか１項に記載の服装コーディネート推薦方法を実行させる、インテリジェント端末。
【請求項１０】
非一時的なコンピュータ可読記憶媒体であって、
コンピュータに請求項１〜７のいずれか１項に記載の服装コーディネート推薦方法を実行させるコンピュータ命令が記憶されている、非一時的なコンピュータ可読記憶媒体。
【請求項１１】
コンピュータプログラム製品であって、
非一時的なコンピュータ可読記憶媒体に記憶されるコンピュータプログラムを含み、
前記コンピュータプログラムは、コンピュータにより実行されると、前記コンピュータに請求項１〜７のいずれか１項に記載の服装コーディネート推薦方法を実行させるプログラム命令を含む、コンピュータプログラム製品。
【発明の詳細な説明】
【技術分野】
【０００１】
本願は通信技術分野に関し、例えば、服装コーディネートの推薦方法及びインテリジェント端末に関する。
【背景技術】
【０００２】
人々の生活水準の向上に伴い、衣服の種類及び数も多くなり、人々は外出するときに何を着るかに悩み、またどのようなコーディネートが良いかも分からない。関連技術では、服装のコーディネートや推薦はいずれも人工的に行われるため、センス良く服を着たいものの、ファッションセンスが低かったり時間がなかったりする人は非常に困っている。
【発明の概要】
【発明が解決しようとする課題】
【０００３】
本出願の１つの目的はインテリジェント端末により実現された服装コーディネート推薦方法を提供することである。
【０００４】
本出願のもう一つの目的は服装コーディネート推薦方法を実現できるインテリジェント端末を提供することである。
【課題を解決するための手段】
【０００５】
一方、本出願の実施例は、インテリジェント端末のアルバムにアクセスし、アルバムに出現する頻度に基づいて服装を検索すること、プリセット条件を満たすと、服装情報に基づいて服装コーディネートデータベースを検索すること、推薦するコーディネート態様を表示することを含む、インテリジェント端末に応用する服装コーディネート推薦方法を提供する。
【０００６】
前記服装コーディネートデータベースはローカルデータベースであり、
及び／又は、前記服装コーディネートデータベースはサーバに記憶され、前記インテリジェント端末は前記サーバに通信接続される。
【０００７】
好ましくは、
アルバムに出現する頻度に基づいて服装を検索し、プリセット条件を満たすと、服装情報に基づいて服装コーディネートデータベースを検索することは、
アルバムに出現する頻度が最も高い服装を検索し選択すること、
選択した服装が、コーディネート推薦する必要がある服装であるかどうかを判断すること、
そうである場合、選択した服装情報に基づいて服装コーディネートデータベースを検索し、そうでない場合、当該服装を排除し、アルバムに出現する頻度が最も高い服装を再び検索すること、を含む。
【０００８】
好ましくは、
アルバムに出現する頻度に基づいて服装を検索し、プリセット条件を満たすと、服装情報に基づいて服装コーディネートデータベースを検索することは、
アルバムに出現する頻度が最も高い服装を検索し選択すること、
選択した服装がコーディネート推薦する必要がある服装であるかどうかを判断すること、
そうである場合、選択した服装が単品であるか又はセットであるかを判断し、単品の場合、選択した服装情報に基づいて服装コーディネートデータベースを検索することを含む。
【０００９】
前記方法は、セットの場合、当該セットを直接推薦するコーディネート態様とすることを更に含む。
【００１０】
好ましくは、
前記アルバムに出現する頻度が最も高い服装を検索し選択することは、
色及びスタイル情報に基づいてアルバムに出現する頻度が最も高い服装を検索し選択することを含む。
【００１１】
好ましくは、
前記方法は、インテリジェント端末のカメラを呼び出して写真を撮り、且つ撮影した写真をクローゼットデータベースに記憶すること、
クローゼットデータベースからコーディネート推薦する必要がある服装を選択すること、
選択したコーディネート推薦する必要がある服装情報に基づいて服装コーディネートデータベースにおける推薦する必要があるコーディネート態様を検索すること、
インテリジェント端末に推薦するコーディネート態様を表示することを更に含む。
【００１２】
好ましくは、
前記服装情報に基づいて服装コーディネートデータベースを検索することは、
選択したコーディネート推薦する必要がある服装情報及び日時情報に基づいて服装コーディネートデータベースを検索し、現時点での日時情報及び服装情報とマッチングするコーディネート態様を得ることを含む。
【００１３】
好ましくは、前記服装情報に基づいて服装コーディネートデータベースを検索することは、選択したコーディネート推薦する必要がある服装情報、日時情報及び地理的情報に基づいて服装コーディネートデータベースを検索し、現時点での日時情報、服装情報及び地理的情報とマッチングするコーディネート態様を得ることを更に含む。
【００１４】
好ましくは、
服装コーディネートデータベースを検索する前に、
応用シナリオを選択することを更に含む。
【００１５】
好ましくは、前記応用シナリオは屋外、ジム、会社、家及びパーティーを含む。
【００１６】
また、本出願の実施例は、少なくとも１つのプロセッサと、前記少なくとも１つのプロセッサに通信接続されるメモリとを含むインテリジェント端末であって、
前記メモリに前記１つのプロセッサにより実行可能な命令が記憶され、前記命令は、前記少なくとも１つのプロセッサにより実行されると、前記少なくとも１つのプロセッサに本出願の実施例に係るいずれかの服装コーディネート推薦方法を実行させる、インテリジェント端末を提供する。
【００１７】
本出願の実施例は、コンピュータに本出願の実施例に係るいずれかの服装コーディネート推薦方法を実行させるコンピュータ命令が記憶されている非一時的なコンピュータ可読記憶媒体を提供する。
【００１８】
本出願の実施例は、非一時的なコンピュータ可読記憶媒体に記憶されるコンピュータプログラムを含み、前記コンピュータプログラムは、コンピュータにより実行されると、前記コンピュータに本出願の実施例に係るいずれかの服装コーディネート推薦方法を実行させるプログラム命令を含む、コンピュータプログラム製品を提供する。
【発明の効果】
【００１９】
本出願の実施例に係る服装コーディネート推薦方法は、インテリジェント端末のアルバムからユーザが最も気に入る服装を選択し、且つ服装情報に基づいて推薦するコーディネート態様を取得することができ、服装コーディネートにかかる時間を節約し、ユーザのファッションニーズを満たす。
【図面の簡単な説明】
【００２０】
以下、１つ又は複数の実施例について、対応する図面を利用して例示的に説明するが、これらの例示的な説明は実施例を制限するためのものではなく、図面において、同じ参照符号を有する素子は類似した素子を示し、特に説明がない限り、図面の図の比例に制限はない。
【００２１】
【図１】本出願の実施例１に係る服装コーディネート推薦方法のフローチャートである。
【図２Ａ】本出願の実施例２に係る服装コーディネート推薦方法のフローチャート１である。
【図２Ｂ】本出願の実施例２に係る服装コーディネート推薦方法のフローチャート２である。
【図３】本出願の実施例３に係る服装コーディネート推薦方法のフローチャートである。
【図４】本出願の実施例５に係るインテリジェント端末のハードウェア構造模式図である。
【発明を実施するための形態】
【００２２】
以下、図面を参照しながら実施形態によって本出願の技術案を説明する。矛盾がない限り、実施例における特徴を互いに任意に組み合わせることができる。
【００２３】
実施例１
【００２４】
本出願の実施例は服装コーディネート推薦方法を提供し、インテリジェント端末に服装コーディネート機能を持つアプリケーションをインストールし、インテリジェント端末を服装コーディネートデータベースが記憶されたサーバに無線通信接続することができる。インテリジェント端末は、携帯電話やタブレットＰＣ等であってもよい。無論、服装コーディネートデータベースは、ローカルデータベースであってもよく、或いは、サーバにもローカルにも服装コーディネートデータベースがあってもよい。
【００２５】
図１は本出願の実施例１に係る服装コーディネート推薦方法のフローチャートであり、
Ｓ１１０、インテリジェント端末のアルバムにアクセスし、アルバムに出現する頻度に基づいて服装を検索すること、
Ｓ１２０、プリセット条件を満たすと、服装情報に基づいて服装コーディネートデータベースを検索すること、
Ｓ１３０、推薦するコーディネート態様を表示することを含む。
【００２６】
前記服装コーディネートデータベースはローカルデータベースであり、
及び／又は、前記服装コーディネートデータベースはサーバに記憶され、前記インテリジェント端末は前記サーバに通信接続される。
【００２７】
本出願の実施例は、インテリジェント端末のアルバムにアクセスし、アルバムに出現する頻度に基づいて服装を検索すること、プリセット条件を満たすと、服装情報に基づいて服装コーディネートデータベースを検索すること、推薦するコーディネート態様を表示する服装コーディネート推薦方法を提供する。インテリジェント端末のアルバムからユーザが最も気に入る服装を選択し、且つ服装情報に基づいて推薦するコーディネート態様を取得することができ、服装コーディネートにかかる時間を節約し、ユーザのファッションニーズを満たす。
【００２８】
実施例２
【００２９】
図２Ａは本出願の実施例２に係る服装コーディネート推薦方法のフローチャート１であり、インテリジェント端末に服装コーディネート機能を持つアプリケーションをインストールする必要があり、インテリジェント端末は服装コーディネートデータベースが記憶されたサーバに無線通信接続される。インテリジェント端末は携帯電話やタブレットＰＣ等であってもよい。無論、服装コーディネートデータベースはローカルデータベースであってもよく、或いは、サーバにもローカルにも服装コーディネートデータベースがあってもよい。
【００３０】
アルバムに出現する頻度に基づいて服装を検索し、プリセット条件を満たすと、服装情報に基づいて服装コーディネートデータベースを検索するが、以下Ｓ２１０〜Ｓ２５０を含む。
【００３１】
Ｓ２１０、アルバムに出現する頻度が最も高い服装を検索し選択する。
色及びスタイル情報に基づいてアルバムに出現する頻度が最も高い服装を検索し、たとえば材質、カテゴリ等の情報を参照情報としてもよく、検索した出現頻度が最も高い服装がユーザの最も気に入る服装であると判断する。
【００３２】
Ｓ２２０、選択した服装がコーディネート推薦する必要がある服装であるかどうかを判断する。
ユーザが検索した服装がユーザがコーディネートする必要がある服装であるかどうかを判断し、そうである場合、コーディネート態様を検索し、そうでない場合、選択した服装を排除して、ユーザがコーディネートする必要がある服装を見つけるまで出現頻度が最も高い服装を検索し続ける。
そうである場合、Ｓ２３０を実行し、そうでない場合、Ｓ２５０を実行する。
【００３３】
Ｓ２３０、選択した服装情報に基づいて服装コーディネートデータベースを検索する。
選択したコーディネート推薦する必要がある服装情報に基づいて、服装コーディネートデータベースを検索して、推薦するコーディネート態様を得る方法については、制限がない。たとえば、服装コーディネートデータベースには、青色半袖と白色ズボンとのコーディネートや青色半袖と白色スカートとのコーディネート等のコーディネート済みのセット写真が記憶されている。これらのセット写真から、選択した服装と最も類似する単品の写真を、推薦するコーディネート態様としてインテリジェント端末に表示し、たとえば、選択したコーディネートする必要がある服装が青色半袖である場合、インテリジェント端末は、服装コーディネートデータベースに記憶されている、青色半袖と白色ズボンとのコーディネート及び青色半袖と白色スカートとのコーディネートの写真を推薦するコーディネート態様として表示する。
或いは、服装コーディネートデータベースに複数の単品の写真が記憶されており、各単品の写真がそれとコーディネートできる複数の単品の写真に対応し、たとえば、青色半袖の写真がそれとコーディネートできる白色ズボンの写真及び白色スカートの写真に対応している場合、インテリジェント端末は、選択した服装に対応する複数の単品の写真を推薦するコーディネート態様として表示する。たとえば、選択したコーディネートする必要がある服装が青色半袖である場合、インテリジェント端末は、服装コーディネートデータベースに記憶されている、白色ズボンの写真及び白色スカートの写真を推薦するコーディネート態様として表示する。
【００３４】
Ｓ２４０、推薦するコーディネート態様を表示する。
【００３５】
Ｓ２５０、当該服装を排除してから、アルバムに出現する頻度が最も高い服装を再び検索する。
【００３６】
好ましくは、図２Ｂは本出願の実施例２に係る服装コーディネート推薦方法のフローチャート２であり、図２Ｂに示すように、アルバムに出現する頻度に基づいて服装を検索し、プリセット条件を満たした際、服装情報に基づく服装コーディネートデータベースの検索は、
Ｓ２１０、アルバムに出現する頻度が最も高い服装を検索し選択すること、
Ｓ２２０、選択した服装がコーディネート推薦する必要がある服装であるかどうかを判断し、そうである場合、Ｓ２２１０、選択した服装が単品であるか又は設置であるかを判断し、単品の場合、プリセット条件を満たし、Ｓ２３０を実行することを含む。
【００３７】
前記服装コーディネート推薦方法は、セットの場合、Ｓ２２２０、当該セットを直接推薦するコーディネート態様とすることを実行し、その後、Ｓ２４０、推薦するコーディネート態様を表示することを実行することを更に含む。
【００３８】
本出願の実施例は、インテリジェント端末のアルバムにアクセスし、アルバムに出現する頻度に基づいて服装を検索し、アルバムに出現する頻度が最も高い服装を検索し選択し、選択した服装がコーディネート推薦する必要がある服装であるかどうかを判断し、そうである場合、選択した服装情報に基づいて服装コーディネートデータベースを検索し、推薦するコーディネート態様を得、推薦するコーディネート態様を表示し、そうでない場合、選択した服装を排除してから、アルバムに出現する頻度が最も高い服装を検索し続ける、服装コーディネート推薦方法を提供する。インテリジェント端末のアルバムからユーザが最も気に入る服装を選択することを実現でき、且つ服装情報に基づいて推薦するコーディネート態様を得ることができ、服装コーディネートにかかる時間を節約し、ユーザによるファッションニーズを満たす。
【００３９】
実施例３
【００４０】
図３は本出願の実施例３に係る服装コーディネート推薦方法のフローチャートであり、ユーザが服装コーディネート機能を持つアプリケーションのアルバムへのアクセスを許可しないように選択する場合、図３に示すように、以下のＳ３１０〜Ｓ３４０を実行する。
【００４１】
Ｓ３１０、インテリジェント端末のカメラを呼び出して写真を撮り、且つ撮影した写真をクローゼットデータベースに記憶する。
【００４２】
Ｓ３２０、クローゼットデータベースからコーディネート推薦する必要がある服装を選択する。
【００４３】
Ｓ３３０、選択したコーディネート推薦する必要がある服装情報に基づいて服装コーディネートデータベースを検索して推薦するコーディネート態様を得る。
【００４４】
Ｓ３４０、インテリジェント端末に推薦するコーディネート態様を表示する。
【００４５】
Ｓ３３０におけるコーディネート態様を得る方法はＳ２３０と類似するため、詳細な説明は省略する。
【００４６】
好ましくは、季節によってコーディネートする服装が異なり、推薦精度を向上させるために、選択したコーディネート推薦する必要がある服装情報及び日時情報に基づいて服装コーディネートデータベースを検索し、現時点で日時情報及び服装情報とマッチングするコーディネート態様を得る。日時情報は季節情報であってもよい。
【００４７】
好ましくは、地域によってコーディネートする服装も異なるため、ユーザの現在の地理的情報を得、地理的情報と合わせて服装コーディネートデータベースを検索し、現時点での日時情報、服装情報及び地理的情報とマッチングするコーディネート態様を得る。
【００４８】
また、推薦精度を向上させるために、服装コーディネートデータベースを検索する前に、屋外、ジム、会社、家及びパーティーなどの応用シナリオを選択し、対応する応用シナリオのもと服装コーディネート推薦を行うことができるため、適性が高く、ユーザエクスペリエンスを向上させる。
【００４９】
本出願の実施例は、服装コーディネート機能を持つアプリケーションがインテリジェント端末のアルバムにアクセスすることを許可しない場合、インテリジェント端末のカメラを呼び出して写真を撮り、且つ撮影した写真をクローゼットデータベースに記憶し、クローゼットデータベースからコーディネート推薦する必要がある服装を選択し、選択したコーディネート推薦する必要がある服装情報に基づいて服装コーディネートデータベースを検索して推薦するコーディネート態様を得、インテリジェント端末に推薦するコーディネート態様を表示する、服装コーディネート推薦方法を提供する。服装コーディネート機能を持つアプリケーションがインテリジェント端末のアルバムにアクセスすることを許可しない場合も、服装コーディネート推薦を実現でき、ユーザニーズを満たす。
【００５０】
実施例４
【００５１】
本出願の実施例４は、上記いずれかの方法の実施例における服装コーディネート推薦方法を実行できるコンピュータ実行可能命令が記憶された非一時的なコンピュータ記憶媒体を更に提供する。
【００５２】
実施例５
【００５３】
図４は本出願の実施例５に係るインテリジェント端末のハードウェア構造模式図である。図４に示すように、１つ又は複数のプロセッサ４１０及びメモリ４２０を含む。図４において、１つのプロセッサ４１０を含む場合を例示する。
【００５４】
インテリジェント端末は、入力装置４３０及び出力装置４４０を更に含んでもよい。
【００５５】
プロセッサ４１０、メモリ４２０、入力装置４３０及び出力装置４４０はバス又は他の方式で接続されてもよく、図４において、バス接続を例示する。
【００５６】
メモリ４２０は、非一時的なコンピュータ可読記憶媒体として、非一時的なソフトウェアプログラム、非一時的なコンピュータ実行可能プログラム及びモジュール、たとえば本出願の実施例における服装コーディネート推薦方法に対応するプログラム命令／モジュール（たとえば、検索モジュール、コーディネートモジュール及び表示モジュール）の記憶に用いられ得る。プロセッサ４１０は、メモリ４２０に記憶された非一時的なソフトウェアプログラム、命令及びモジュールを実行することにより、サーバの様々な機能アプリケーション及びデータ処理を実行することで、上記方法の実施例における服装コーディネート推薦方法を実現する。
【００５７】
メモリ４２０はプログラム記憶領域及びデータ記憶領域を含んでもよく、プログラム記憶領域はオペレーティングシステム、少なくとも１つの機能に必要なアプリケーションを記憶でき、データ記憶領域はアプリケーションと対話する端末の使用に応じて新規作成したデータ等を記憶できる。なお、メモリ４２０は、高速ランダムアクセスメモリを含んでもよく、少なくとも１つのハードディスクストレージデバイス、フラッシュデバイス、又は他の非一時的なソリッドステートメモリデバイスのような非一時的メモリを含んでもよい。いくつかの実施例において、メモリ４２０はプロセッサ４１０に対し遠隔設置されるメモリであってもよく、これらの遠隔メモリは、ネットワークを介してアプリケーションと対話する端末に接続されてもよい。
【００５８】
上記ネットワークの実例として、インターネット、イントラネット、ローカルエリアネットワーク、移動体通信ネットワーク及びそれらの組合せを含むが、それらに制限されない。
【００５９】
入力装置４３０は、入力した数字又は文字情報を受信し、及びアプリケーションと対話する端末のユーザ設定及び機能制御に関連するキー信号入力を生成することができる。出力装置４４０はディスプレイ等の表示装置を含んでもよい。
【００６０】
前記１つ又は複数のモジュールは、前記メモリ４２０に記憶され、前記１つ又は複数のプロセッサ４１０に実行されると、上記いずれかの方法の実施例における服装コーディネート推薦方法を実行する。
【００６１】
上記製品は、本出願の実施例に係る方法を実行でき、実行方法に対応する機能モジュール及び有益な効果を有する。本実施例に詳しく説明されていない技術についての詳細な説明は、本出願の実施例に係る方法を参照してもよい。
【産業上の実用性】
【００６２】
本出願の実施例は上記技術案を用いることで、インテリジェント端末のアルバムからユーザが最も気に入る服装を選択し、且つ服装情報に基づいて推薦するコーディネート態様を得ることができ、服装コーディネートにかかる時間を節約し、ユーザによるファッションニーズを満たす。
【図１】
0006588638.tif 000002
【図２Ａ】
0006588638.tif 000003
【図２Ｂ】
0006588638.tif 000004
【図３】
0006588638.tif 000005
【図４】
0006588638.tif 000006